(57)【特許請求の範囲】
【請求項１】
靴用の回転閉じ具（１）であって、
前記靴に取り付け可能なハウジング（２）と、
前記ハウジング（２）内において軸（Ａ）を中心に回転可能に支持され、前記靴の紐を締める間、引張ローラ（３）に引張要素（４）を巻き付けることができる引張ローラ（３）と、
前記引張ローラ（３）の向きを変えるために、前記ハウジング（２）において前記軸（Ａ）を中心に回転可能に配置される回転ノブ（５）と、
前記ハウジング（２）内において前記軸（Ａ）を中心に回転可能に配置され、中間搬送具（６）が前記ハウジング（２）に対して１回転方向においてのみ回転できるように、前記ハウジング（２）においてまたは前記ハウジング（２）内に配置される第１の係止噛合部（８）に係合する少なくとも１つの爪（７）を備える中間搬送具（６）と、
前記中間搬送具（６）内にまたは前記中間搬送具（６）において配置され、かつ、前記中間搬送具（６）内のまたは前記中間搬送具（６）における前記軸（Ａ）に平行な軸（Ｂ）を中心に枢動するように支持され、ロッキングレバー（９）の第１の旋回位置（Ｉ）において第２の係止噛合部（１１）に係合するように構成され、当該第２の係止噛合部（１１）は前記引張ローラ（３）に配置され、及び、前記ロッキングレバー（９）の第２の旋回位置（ＩＩ）において前記第２の係止噛合部（１１）に係合しないロック部（１０）を備える、少なくとも１つのロッキングレバー（９）と、を備え、
第１の制御要素（１２）及び第２の制御要素（１３）が前記回転ノブ（５）に配置され、前記第１の制御要素（１２）は、第１の回転方向（Ｒ１）における前記回転ノブ（５）の回転時に前記ロッキングレバー（９）の第１のクランク部（１４）に係合して、前記ロッキングレバー（９）を前記第１の旋回位置（Ｉ）へと移動させることと、前記引張ローラ（３）と共に前記中間搬送具（６）の向きを変えることができ、前記第２の制御要素（１３）は、前記第１の回転方向（Ｒ１）とは反対の第２の回転方向（Ｒ２）における前記回転ノブ（５）の回転時に前記ロッキングレバー（９）の第２のクランク部（１５）に係合して、前記ロッキングレバー（９）を前記第２の旋回位置（ＩＩ）へと移動させることができる
ことを特徴とする回転閉じ具（１）。
【請求項２】
前記ハウジング（２）は円筒形状である
請求項１に記載の回転閉じ具。
【請求項３】
前記第１の係止噛合部（８）は、前記ハウジング（２）の内周に形成される
請求項１または２に記載の回転閉じ具。
【請求項４】
前記ハウジング（２）はプラスチック材から成り、前記第１の係止噛合部（８）は前記ハウジング（２）に形成される
請求項３に記載の回転閉じ具。
【請求項５】
前記第２の係止噛合部（１１）及び前記引張ローラ（３）は、一体部品として形成される
請求項１ないし４のいずれかに記載の回転閉じ具。
【請求項６】
前記ハウジング（２）に対して移動可能である部品のための前記軸（Ａ）は、ボルト（１６）によって構成される
請求項１ないし５のいずれかに記載の回転閉じ具。
【請求項７】
前記引張要素（４）は引張ワイヤである
請求項１ないし６のいずれかに記載の回転閉じ具。
【請求項８】
前記２つの制御要素（１２、１３）は、鉛筆形状の突出部として前記回転ノブ（５）に形成される
請求項１ないし７のいずれかに記載の回転閉じ具。
【請求項９】
前記２つの制御要素（１２、１３）を、前記軸（Ａ）から同じ距離で配置し、かつ、周方向において中心から外して置く
請求項８に記載の回転閉じ具。
【請求項１０】
前記中間搬送具（６）は、前記軸（Ａ）に対して直径方向に前記中間搬送具（６）において配置される２つの爪（７）を備える
請求項１ないし９のいずれかに記載の回転閉じ具。
【請求項１１】
少なくとも１つの前記爪（７）を、前記中間搬送具（６）において前記軸（Ａ）に対して半径方向に弾性部として配置する
請求項１ないし１０のいずれかに記載の回転閉じ具。
【請求項１２】
前記爪（７）は、前記中間搬送具（６）の周方向において、まっすぐな舌状部として伸長する
請求項１１に記載の回転閉じ具。
【請求項１３】
前記中間搬送具（６）は、板金部品から成り、当該板金部品において、前記爪（７）が前記中間搬送具（６）から形成される
請求項１ないし１２のいずれかに記載の回転閉じ具。
【請求項１４】
前記ロッキングレバー（９）は金属から成る
請求項１ないし１３のいずれかに記載の回転閉じ具。
【請求項１５】
前記軸（Ａ）方向において突出し、前記中間搬送具（６）の凹部（１８）おいて支持される軸受ボルト（１７）を、前記ロッキングレバー（９）に配置する
請求項１ないし１４のいずれかに記載の回転閉じ具。
【請求項１６】
１つのロッキングレバー（９）を前記中間搬送具（６）においてまたは前記中間搬送具（６）内に配置する
請求項１ないし１５のいずれかに記載の回転閉じ具。
【請求項１７】
前記回転ノブ（５）は、前記軸（Ａ）から偏心した周方向位置における凹部（１９）を含み、前記中間搬送具（６）は、前記回転ノブ（５）に対向する側にマーク（２０）を含み、前記回転ノブ（５）がその第２の制御要素（１３）によって前記ロッキングレバー（９）の前記第２のクランク部（１５）に位置し、それによって、前記ロッキングレバー（９）が前記第２の旋回位置（ＩＩ）に位置する時、前記マーク（２０）は前記凹部（１９）を通して可視である
請求項１ないし１６のいずれかに記載の回転閉じ具。
【請求項１８】
前記マーク（２０）は、色つき点として構成される
請求項１７に記載の回転閉じ具。
【請求項１９】
請求項１ないし１８のいずれかに記載の回転閉じ具を有する
ことを特徴とする靴。
【発明の詳細な説明】
【技術分野】
【０００１】
本発明は、靴用、特に、スポーツ靴用回転閉じ具であって、靴に取り付け可能なハウジングと、ハウジング内において軸を中心に回転可能に支持される引張ローラであって、靴の紐を締める間、引張ローラに引張要素を巻き付けることができる引張ローラと、引張ローラの向きを変えるために、ハウジングにおいて軸を中心に回転可能に配置される回転ノブとを備える回転閉じ具と、このような回転閉じ具を有する靴に関する。
【背景技術】
【０００２】
一般的な種類の回転閉じ具として、例えば、特許文献１に記載のものが既知である。このような回転閉じ具によって、一方では、低トルクではあるが高張力のままで回転ノブを回転させることによって、引張要素を締める（糸またはワイヤを締める）間に靴の紐を締めることを可能にし、他方では、また靴を脱ぐ時に、引張要素を容易に緩めることもできるものとされる。
【０００３】
さらに重要な面は、回転締め具の軽量化、及び、できるだけ少数の部品による費用効率の高い生産である。
【０００４】
複雑な仕組みによる回転閉じ具は、引張要素を容易に緩ませることができるとして知られてきている。例えば、回転ノブは、ハウジングにおいて枢動可能に、または、折り畳み式に既に配置されているものであり、回転ノブの枢動または旋回後、引張ローラのラッチ解除が行われ、それによって、締め付けられた引張要素の張力はなくなる。その他の解決法において、押しボタンを作動させて、引張ローラのラッチ解除を実行することができる。
【０００５】
他の異なる種類の回転閉じ具では、前記目的に到達するために、遊星歯車を利用して、回転ノブの回転運動を歯車減速させる。
【０００６】
既知の方式において、既述の要件を問題なく一括して満たすことができないことは好ましくない。機械的要件を満たす回転閉じ具は、設計が複雑で比較的多くの部品による生産が行われるため費用がかさむことが多い。
【先行技術文献】
【特許文献】
【０００７】
【特許文献１】ドイツ実用新案第２９７０１４９１号
【発明の概要】
【発明が解決しようとする課題】
【０００８】
本発明は、一般的な種類の回転閉じ具をさらに展開することであり、それによって、一方では、当該回転閉じ具を閉止中に、引張要素に対して容易にしかも強力に張力を与えられるようにし、もう一方では、引張要素を容易に解放またはラッチ解除することができるようにすることを課題とする。同時に、軽量構造を目的とし、少数の部品による費用効率の高い生産を実現するものとする。
【課題を解決するための手段】
【０００９】
本発明による上記課題の解決法は、上述した種類による回転閉じ具が、
−ハウジング内において軸を中心に回転可能に配置される中間搬送具であって、当該中間搬送具がハウジングに対して１回転方向においてのみ回転できるように、ハウジングにおいてまたはハウジング内に配置される第１の係止噛合部に係合する少なくとも１つの爪を備える中間搬送具と、
−中間搬送具内にまたは中間搬送具において配置され、かつ、中間搬送具内のまたは中間搬送具における軸に平行な軸を中心に枢動するように支持される少なくとも１つのロッキングレバーであって、ロッキングレバーの第１の旋回位置において第２の係止噛合部に係合するように設計され、当該第２の係止噛合部は引張ローラに配置され、及び、ロッキングレバーの第２の旋回位置において第２の係止噛合部に係合しないようにさらに設計されるロック部を備える、少なくとも１つのロッキングレバーと、をさらに備え、
第１の制御要素及び第２の制御要素が回転ノブに配置され、第１の制御要素は、第１の回転方向における回転ノブの回転時にロッキングレバーの第１のクランク部に係合して、ロッキングレバーを第１の旋回位置へと移動させること、かつ、引張ローラと共に中間搬送具の向きを変えることができ、第２の制御要素は、第１の回転方向とは反対の第２の回転方向における回転ノブの回転時にロッキングレバーの第２のクランク部に係合して、ロッキングレバーを第２の旋回位置へと移動させることができることを特徴とする。
【００１０】
ハウジングは円筒形状であるのが好ましい。
【００１１】
第１の係止噛合部は、ハウジングの内周に形成されるのが好ましい。それによって、この内周は、円筒状に形成されるのが好ましい。そのため、ハウジングはプラスチック材から成り、第１の係止噛合部はハウジングの材料に形成される。
【００１２】
第２の係止噛合部及び引張ローラは、一体部品として、特に、射出成形部品として形成されるのが好ましい。
【００１３】
ハウジングに対して移動可能にまたは回転可能に支持される部品のための回転軸は、ボルトによって実現されるのが好ましい。ここでは特に、ねじボルト（ねじ）とみなす。
【００１４】
引張要素は一般には引張ワイヤである。
【００１５】
２つの制御要素は、鉛筆形状の突出部として、特に、円筒状に形成された突出部として回転ノブに形成されるのが好ましい。そのために、２つの制御要素を、軸から同じ直径で配置し、かつ、周方向において中心から外して置くことができる。
【００１６】
中間搬送具は、軸に対して直径方向に、中間搬送具において配置される２つの爪を備えるのが好ましい。それによって、少なくとも１つの爪を、中間搬送具において軸に対して半径方向に弾性部として配置することができる。爪はさらに、実質的に中間搬送具の周方向において、実質的にまっすぐな舌状部として伸長することができる。
【００１７】
中間搬送具は、生産理由によって、好ましくは、板金部品から成り、当該板金部品において、爪が中間搬送具の材料から形成される。
【００１８】
ロッキングレバーは金属から成るのが好ましい。
【００１９】
軸方向において突出し、中間搬送具の凹部において支持される軸受ボルトを、ロッキングレバーに配置することができる。
【００２０】
それによって、１つのロッキングレバーを中間搬送具においてまたは中間搬送具内に配置するのが好ましい。
【００２１】
回転ノブは、軸から偏心した、すなわち、軸から離れた周方向位置における凹部、特に、円形状の凹部を含み、中間搬送具は、回転ノブに対向する側にマークを含むことができる。ここで、回転ノブがその第２の制御要素によってロッキングレバーの第２のクランク部に位置し、それによって、ロッキングレバーが第２の旋回位置に位置する時、マークは凹部を通して可視である。そうすることで、回転閉じ具がラッチ解除位置にあり、従って、引張要素（引張ワイヤ）が靴を脱ぐために緩められる時の、回転ノブの位置付けを認識することができる。そのため、マークは、色つき点として設計されるのが好ましい。
【００２２】
また、本発明は、記載した種類の回転閉じ具を有する靴、特にスポーツ靴に関する。
【００２３】
従って、提案された回転閉じ具はハウジングを備え、当該ハウジング内において、引張要素（ワイヤ）用の引張ローラ（スプールホイール）が回転可能に、すなわち、中心軸を中心に支持される。引張ローラは、１回転方向における回転を可能にする歯止め（第２の係止噛合部）を備えるが、ロッキングレバーが係合する時、この回転は妨げられる。ロッキングレバーは、中心軸を中心に、すなわち、中心軸に平行に配置されるが、同中心軸から隔てられた旋回軸を中心に回転可能に支持される中間搬送具（搬送要素）において回転可能に支持される。中間搬送具は、ワイヤに張力をかけるために、中心軸を中心にするが、引張方向にのみ回転可能である。これは、中間搬送具における外側に半径方向に弾性的に配置され、かつ、ハウジングの縁端部の内側において機械加工される第１の係止噛合部（留め具形）に係合する爪（ばね舌片）によって達成される。
【００２４】
中心軸を中心に回転可能に支持される回転ノブ（蓋）は、２つの制御要素（カム）を含む。第１の制御要素は、ワイヤに張力をかけている（方向Ｒ１へ回転する）間、中間搬送具に係合し、閉止方向において中間搬送具をロッキングレバーと共に回転させる。それによって、引張ローラは元に戻らないようにされるが、これは、ロッキングレバーのロック部（フック部）が引張ローラの第２の係止噛合部に係合することによって、引張ローラを元に戻らせないからである。
【００２５】
回転ノブ（蓋）の向きを、引張方向とは反対の方向（回転方向Ｒ２）に変える場合、第２の爪要素（カム）は、ロッキングレバーのカム状形成部（第２のクランク部）に押し付けられることで、ロック部（フック部）を引張ローラの第２の係止噛合部（歯止め）との係合状態から自由にするように、ロッキングレバーを旋回軸を中心に回転させ、この時、巻き付けられたワイヤを、この時は自由に回転可能である引張ローラから取り外すことができる。
【００２６】
有益には、回転閉じ具の生産費用を低く抑えるだけでなく、回転閉じ具の重量を最低限に抑える簡易な設計が少数の部品によって得られる。
【００２７】
部品の、特に引張ローラの幾何学的形成によって、靴または引張要素に張力をかける時、回転ノブにおける低トルクで、引張要素における高引張力に到達することができる。
【００２８】
他方において、引張方向の回転に対して回転ノブを元に戻すことによって、引張要素を引張ローラから引き抜くことができるラッチ解除状態を確立することができる。
【図面の簡単な説明】
【００２９】
【図１】スポーツ靴用の回転閉じ具の分解図
【図２】回転閉じ具から、回転閉じ具の回転軸に垂直に通る部分であって、この部分において、回転閉じ具のロック状態を示す説明図
【図３】図２による部分であって、この部分において、回転閉じ具の解放状態を示す説明図
【発明を実施するための形態】
【００３０】
図面において、本発明の実施形態を下記のように示す。
【００３１】
図において、例えば、靴の足背部分に取り付けることができ、また、例えば、靴の横方向領域、または、かかと領域における、その他の場所にも取り付けることができる、靴の紐を締めるのに役立つ回転閉じ具１が見られる。
【００３２】
回転閉じ具１は、プラスチック材から成り、内側円筒状域において第１の係止噛合部８を装備した円筒状ハウジング２を備える。ボルト１６（例えば、ねじナットによる端部領域における閉じ具を有するねじ）によって、中心軸Ａが形成され、それによって、回転閉じ具１のさまざまな回転可能部品が支持される。
【００３３】
最初に、引張ローラ３はハウジング２内において自由に回転可能に支持される。引張ワイヤまたは引張要素４を、引張ローラ３に、すなわち、巻き付ける間着用者の足において靴の紐に張力をかける、または、その紐を締めるための既知の方法で、巻き付けることができる。
【００３４】
引張ローラ３の上側に、第２の係止噛合部１１が形成される。引張ローラ３もプラスチック材から成り、それによって、係止噛合部１１は、射出成形プロセスによる形成部分によって形成される。
【００３５】
穿孔かつ変形された板金部品から成る中間搬送具６は、引張ローラ３上に配置され、また、軸Ａを中心に支持される。中間搬送具６は、第１の係止噛合部８における係合のために設けられかつ設計された２つの爪７を含む。従って、中間搬送具６は、１回転方向においてのみ（すなわち、回転方向Ｒ１において（図２を参照））ハウジング２に対して回転することができ、第１の係止噛合部８に係合する爪７によって反対方向の回転は妨げられる。
【００３６】
金属（鋼鉄）からできたロッキングレバー９は、引張ローラ３と中間搬送具６との間に配置される。当該ロッキングレバーは、中間搬送具６内に機械加工された凹部１８に適合する軸受ボルト１７を有する。
【００３７】
よって、ロッキングレバー９は、軸Ａに平行であるが、軸Ａから隔てられた軸Ｂを中心に、中間搬送具６に対して旋回可能であり、すなわち、２つの旋回位置を取ることができる。
【００３８】
第１の旋回位置Ｉ（図２を参照）において、ロッキングレバー９は、第２の係止噛合部１１に、フック形状のロック部１０によって係合する。この位置において、引張ローラ３を引張方向Ｒ１においてのみ回転させることができる。しかしながら、引張ローラ３に巻き付けられた引張要素４をほどくことができないことで、引張要素４の張力は維持される。
【００３９】
第２の旋回位置ＩＩ（図３を参照）において、ロック部１０を、第２の係止噛合部１１との係合状態から自由にする。従って、この時、引張ローラ３を、軸Ａを中心に自由に回転させることができ、それによって、巻き付けられた引張要素４をほどくことができる。
【００４０】
中間搬送具６より上に、回転ノブ５は軸Ａを中心に回転可能に配置される。回転ノブ５は、図１では不可視のその底部側に２つの制御要素を有する。当該制御要素、すなわち、第１の制御要素１２及び第２の制御要素１３は、軸ＡまたはＢの方向に伸長する。図２及び３による描写において、２つの制御要素１２及び１３の位置を見ることができる。双方の制御要素は、好ましくは、本実施形態において、軸Ａからの方向において、回転ノブ５から突出する円筒部として設計される。そのため、当該２つの制御要素は、ロッキングレバー９の２つのクランク部１４及び１５と交互に協働するように設けられる。
【００４１】
図２において見ることができるように、引張要素４に張力をかける間、すなわち、引張ローラ３に引張要素４を巻き付ける間、第１の回転方向Ｒ１において回転ノブ５を回転させる。回転ノブ５を第１のクランク部１４へと回転させることによって、第１の制御要素１２は押下され、そのために、ロッキングレバー９は第１の旋回位置Ｉを取り、それに従って、ロック部１０は第２の係止噛合部１１に係合する。
【００４２】
よって、方向Ｒ１において回転ノブ５を回転させる間、引張要素４を引張ローラ３からほどかれることだけが妨げられるわけではない。むしろ、回転ノブ５は、それと共に、第１の制御要素１２を介して、回転方向Ｒ１において、ロッキングレバー９と共に中間搬送具６を、及び、（ロック部１０によって）引張ローラ３を作動させることで、引張要素４は引張ローラ３に巻き付けられ、付随的に、引張ローラ３は元に戻らないようにされる（前記のように、中間搬送具６における爪７によって元に戻ることが妨げられる）。
【００４３】
しかしながら、反対の回転方向Ｒ２における回転ノブ５の回転中、第２の制御要素１３は、図３に示されるように、第２のクランク部１５において押下され、それによって、ロッキングレバー９は第２の旋回位置ＩＩに動かされる。ロック部１０は、第２の係止噛合部１１との係合状態から自由になり、それによって、この時引張ローラ３は自由に回転することができ、巻き付けられた引張要素４を取り外す、または、ほどくことができる。
【００４４】
回転ノブ５における凹部１９は、中間搬送具６においては、色つきのマーク２０に設けられる（図１を参照）。この要素によって、凹部１９は、回転閉じ具がラッチ解除位置に位置するかどうか、すなわち、ロッキングレバー９が第２の旋回位置ＩＩにあるかどうか、使用者に対してすぐに可視とすることができる。色つきマーク２０が凹部１９において可視となると、使用者は、回転ノブ５の向きを第２の回転方向Ｒ２に十分に変え、それによって、回転閉じ具がラッチ解除位置に到達したことを知る。
【符号の説明】
【００４５】
１  回転閉じ具
２  ハウジング
３  引張ローラ
４  引張要素
５  回転ノブ
６  中間搬送具
７  爪
８  第１の係止噛合部
９  ロッキングレバー
１０  ロック部
１１  第２の係止噛合部
１２  第１の制御要素
１３  第２の制御要素
１４  第１のクランク部
１５  第２のクランク部
１６  ボルト
１７  軸受ボルト
１８  凹部（穿孔）
１９  凹部
２０  マーク
Ａ  軸
Ｂ  軸
Ｉ  第１の旋回位置
ＩＩ  第２の旋回位置
Ｒ１  第１の回転方向
Ｒ２  第２の回転方向
【図１】
0005905644.tif 000002
【図２】
0005905644.tif 000003
【図３】
0005905644.tif 000004